(57)【要約】【課題】  ユーザーが排紙積載上限枚数以上の枚数の原稿の画像読取を実施する際、ＡＤＦを用いた画像読取を複数回、排紙原稿を取り除かずに実施する可能性がある。このとき、ＡＤＦ排紙原稿を取り除かずにＡＤＦから給紙を実施すると、排紙原稿と読み取り完了した原稿が干渉し紙詰まりが発生する可能性がある。【解決手段】  シートが積載される給紙トレイ３０と、前記給紙トレイ３０から搬送されて来たシートの画像を読取る光学スキャナユニット２０２と、光学スキャナユニット２０２により画像の読取がされたシートが積載される排紙トレイ１３と、ユーザーに対して通知を行う排紙トレイＬＥＤ４０を備え、ＣＰＵ８０１は、排紙トレイが満載と推測される場合に、排紙トレイＬＥＤ４０によりユーザーに満載を通知する。【選択図】  図３
2017024847.tif 000002
【特許請求の範囲】
【請求項１】
シートが積載される第一のシート積載手段と、
前記第一のシート積載手段から搬送されて来たシートの画像を読取る画像読取手段と、
前記画像読取手段により画像の読取がされたシートが積載される第二のシート積載手段と、
ユーザーに対して通知を行う通知手段と、
前記第二のシート積載手段に積載されたシートの枚数を推測する推測手段と、
前記推測手段のシートの枚数の推測に基づいて前記通知手段を制御する制御手段と、を備え、
前記制御手段は、前記推測手段の推測するシートの枚数に基づいて前記通知手段の通知を変更することを特徴とする画像読取装置。
【請求項２】
前記第二のシート積載手段に排出されたシートを検知する排出検知手段を備え、
前記推測手段は、前記排出検知手段の検知に基づいて前記第二のシート積載手段に積載されたシートの枚数を推測することを特徴とする請求項１に記載の画像読取装置。
【請求項３】
シートが積載される第一のシート積載手段と、
前記第一のシート積載手段から搬送されて来たシートの画像を読取る画像読取手段と、
前記画像読取手段により画像の読取がされたシートが積載される第二のシート積載手段と、
ユーザーに対して通知を行う通知手段と、
これから前記第二のシート積載手段に積載されるシートの枚数を推測する推測手段と、
前記推測手段のシートの枚数の推測に基づいて前記通知手段を制御する制御手段と、を備え、
前記制御手段は、前記推測手段の推測するシートの枚数に基づいて前記通知手段の通知を変更することを特徴とする画像読取装置。
【請求項４】
前記第二のシート積載手段に排出されたシートを検知する排出検知手段を備え、
前記第一のシート積載手段に積載されたシートの枚数を推測するシート積載推測手段を備え、
前記推測手段は、前記排出検知手段と、前記シート積載推測手段とに基づいてこれから前記第二のシート積載手段に積載されるシートの枚数を推測することを特徴とする請求項３に記載の画像読取装置。
【請求項５】
前記第一のシート積載手段は、上昇が可能な積載部を備え、前記積載部の上昇量に基づいて前記第一のシート積載手段に積載されたシートの枚数を推測することを特徴とする請求項４に記載の画像読取装置。
【請求項６】
前記積載部を上昇させるパルスモータを備え、前記パルスモータの駆動パルスに基づいて前記上昇量を推測することを特徴とする請求項５に記載の画像読取装置。
【請求項７】
前記第一のシート積載手段に積載されたシートの厚さを推測するシート厚さ推測手段を備え、
前記推測手段は、前記排出検知手段と、前記シート積載推測手段と、前記シート厚さ推測手段に基づいてこれから前記第二のシート積載手段に積載されるシートの枚数を推測することを特徴とする請求項４乃至６のいずれか１項に記載の画像読取装置。
【請求項８】
シートの枚数に関する情報を記憶する記憶手段を備え、前記第二のシート積載手段にシートが排出された場合に前記記憶手段に記憶された情報を変更し、前記推測手段は前記記憶手段に記憶された情報に基づいて前記第二のシート積載手段に積載されたシートの枚数を推測することを特徴とする請求項１乃至７のいずれか１項に記載の画像読取装置。
【請求項９】
前記制御手段は、前記推測手段の推測するシートの枚数が所定の枚数以上の場合には第一の通知を行うように前記通知手段を制御し、
前記推測手段の推測するシートの枚数が所定の枚数より少ない場合には第二の通知を行うように前記通知手段を制御することを特徴とする請求項１乃至８のいずれか１項に記載の画像読取装置。
【請求項１０】
前記制御手段は、前記推測手段の推測するシートの枚数が所定の枚数以上の場合には第一の通知を行うように前記通知手段を制御し、
前記推測手段の推測するシートの枚数が所定の枚数より少ない場合には通知を行わないように前記通知手段を制御することを特徴とする請求項１乃至９のいずれか１項に記載の画像読取装置。
【請求項１１】
前記所定の枚数は、シートの紙種に応じて変更可能であることを特徴とする請求項９又は１０に記載の画像読取装置。
【請求項１２】
前記通知手段は、発光手段であることを特徴とする請求項１乃至１１のいずれか１項に記載の画像読取装置。
【請求項１３】
前記通知手段はユーザーに対して表示を行う表示手段であることを特徴とする請求項１乃至１２のいずれか１項に記載の画像読取装置。
【請求項１４】
前記通知手段は音出力手段であることを特徴とする請求項１乃至１３のいずれか１項に記載の画像読取装置。
【請求項１５】
前記第一のシート積載手段にシートが積載され、当該シートを前記画像読取手段に搬送する前に、前記制御手段は前記推測手段のシートの枚数の推測に基づく前記通知手段の制御を実行する請求項１乃至１４のいずれか１項に記載の画像読取装置。
【請求項１６】
前記第一のシート積載手段に積載されたシートを検知する第一のシート検知手段を備え、
前記第一のシート検知手段によりシートが検知された場合に、前記制御手段は前記推測手段のシートの枚数の推測に基づく前記通知手段の制御を実行する請求項１５に記載の画像読取装置。
【請求項１７】
前記第一のシート積載手段に複数のシートが積載され、当該複数のシートが前記画像読取手段に搬送されている間に、前記制御手段は前記推測手段のシートの枚数の推測に基づく前記通知手段の制御を実行する請求項１乃至１６のいずれか１項に記載の画像読取装置。
【請求項１８】
前記第一のシート積載手段にシートが積載され、当該シートが前記画像読取手段に搬送し終えた後に、前記制御手段は前記推測手段のシートの枚数の推測に基づく前記通知手段の制御を実行することを特徴とする請求項１乃至１７のいずれか１項に記載の画像読取装置。
【請求項１９】
前記第一のシート積載手段に積載されたシートを検知する第一のシート検知手段を備え、
前記第一のシート検知手段によりシートが検知されなくなった場合に、前記制御手段は前記推測手段のシートの枚数の推測に基づく前記通知手段の制御を実行する請求項１８に記載の画像読取装置。
【請求項２０】
時間を計測する時間計測手段を有し、
前記制御手段は、前記時間計測手段による時間の計測に基づいて、通知手段による通知が開始されてから所定時間経過した場合に、前記通知手段の通知を終了することを特徴とする請求項１乃至１９のいずれか１項に記載の画像読取装置。
【請求項２１】
第二のシート積載手段からシートが取り除かれたことを検出するための取り除き検出手段を備え、
前記制御手段は、取り除き検出手段によりシートが前記第二のシート積載手段から取り除かれたと判断した場合に、前記通知手段の通知を終了することを特徴とする請求項１乃至２０のいずれか１項に記載の画像読取装置。
【請求項２２】
シートに画像を形成する画像形成部と、
請求項１又は２１のいずれか１項に記載の画像読取装置と、
を備えることを特徴とする画像形成装置。
【発明の詳細な説明】
【技術分野】
【０００１】
本発明は、画像読取装置及び画像読取装置を備える画像形成装置に関する発明である。
【背景技術】
【０００２】
近年、書籍やドキュメントの電子化の進行に伴い、画像形成装置やファクシミリに備えられる画像読取装置は、複数の原稿を一度の操作で読み取ることができるようＡＤＦ（Ａｕｔｏ  Ｄｏｃｕｍｅｎｔ  Ｆｅｅｄｅｒ）を備えた構成となることが多い。そしてＡＤＦを前後左右方向に小型化するため、給紙トレイの下部の空間を排紙トレイとする構成が一般的である。
【０００３】
このようなＡＤＦを備えた画像読み取り装置においては、排紙トレイが給紙トレイの下部となるため暗くなり、排紙された原稿の有無をユーザーが分かりにくい。
【０００４】
このため、排紙トレイ上を照らす照明を設けることで排紙トレイ上の原稿をわかりやすくする技術（特許文献１）や、排紙トレイ上に原稿があることを通知する照明の制御方法に関する技術（特許文献２）が提案されている。
【先行技術文献】
【特許文献】
【０００５】
【特許文献１】特開平８−３３９１０７号公報
【特許文献２】特開２０１３−１０６１０９号公報
【発明の概要】
【発明が解決しようとする課題】
【０００６】
給紙トレイにセットされた原稿は、画像読取部に搬送されて画像を読み取られた後、排紙トレイに排紙される。排紙トレイ上に原稿を残したままＡＤＦを利用すると、ユーザーの利便性を損なう場合がある。例えば、排紙トレイ上にある原稿と後から画像読取を行った原稿が混ざり順番がおかしくなることや、排紙トレイ上にある原稿に、搬送パスから搬送される原稿の先端が引っかかり紙詰まりになることが考えられる。特に、このような課題は、排紙トレイ上に多数の原稿が存在する場合（排紙トレイ上に読取り原稿が満載となった場合）に顕著になる。
【０００７】
給紙トレイと、排紙トレイにはそれぞれ、物理的な上限積載枚数があり、一般的に排紙トレイの上限積載枚数は給紙トレイの上限積載枚数と同じか多少多くなるように設計される。ユーザーが給紙トレイの上限積載枚数以上の原稿読取を実施する場合、ユーザーは画像読取を実施したい原稿を二つに分け、二度画像読取を実施することになる。一度目の画像読取を実施した後、排紙トレイには、画像が読み取られた原稿が多量に排紙されている。排紙トレイの原稿を取り除くことなく、さらに原稿の画像読取を実行すると排紙トレイの上限積載枚数を超えてしまい、前述した原稿の混ざりや紙詰まりの問題が発生する可能性が高い。従来技術では、ユーザーが排紙トレイ上の原稿に気づきやすくするために、排紙トレイ上に原稿がある場合に、排紙トレイ上を照明により照らすようにしている。しかしながら、排紙トレイ上に存在する原稿が多いのか少ないのかユーザーは知ることができない。そのため、ユーザーによっては、当該照明は排紙トレイ上の原稿の有無を知らせるものだと判断する可能性がある。先に説明した様に、原稿を二つに分けて読取りを行う場合、排紙トレイ上の原稿はユーザー自身の原稿であるため、ユーザーは排紙トレイ上から原稿を取り除かずに二度目の画像読取を実施する可能性がある。
【課題を解決するための手段】
【０００８】
上記問題点を解決するための画像読取装置は、シートが積載される第一のシート積載手段と、前記第一のシート積載手段から搬送されて来たシートの画像を読取る画像読取手段と、前記画像読取手段により画像の読取がされたシートが積載される第二のシート積載手段と、ユーザーに対して通知を行う通知手段と、前記第二のシート積載手段に積載されたシートの枚数を推測する推測手段と、前記推測手段のシートの枚数の推測に基づいて前記通知手段を制御する制御手段と、を備え、前記制御手段は、前記推測手段の推測するシートの枚数に基づいて前記通知手段の通知を変更するように前記制御手段を制御することを特徴とする。
【発明の効果】
【０００９】
本発明によれば、第二のシート積載手段（排紙トレイ）に積載されたシート（原稿）、又はこれから積載されるシート（原稿）の枚数をユーザーが推測しやすくなる。そのため、ユーザーは第二のシート積載手段からシートを取り除かなければならないことに気づきやすく、ユーザーの利便性を損なう状態の発生を低減することができる。
【図面の簡単な説明】
【００１０】
【図１】実施形態１に係る画像読取装置の例を示す断面図
【図２】実施形態１に係る画像読取装置の一例を示すブロック図
【図３】実施形態１に係る排紙原稿枚数をカウントする方法の例を示すフローチャート
【図４】実施形態１に係る原稿読取装置の例を示すＡＤＦ画像読取部の断面図
【図５】実施形態１に係る原稿積載時の排紙原稿満載通知の例を示すフローチャート
【図６】実施形態１に係る操作部の表示画面の一例を示す図
【図７】実施形態２に係る原稿読取装置の例を示すＡＤＦと画像読取部の断面図
【図８】実施形態２に係る画像読取装置の一例を示すブロック図
【図９】実施形態２に係る原稿読取装置の例を示す断面図
【図１０】実施形態２に係る原稿読取装置の例を示す断面図
【図１１】実施形態２に係る給紙枚数の予測方法の例を示す断面図
【図１２】実施形態２に係る原稿積載時の排紙原稿満載通知の例を示すフローチャート
【図１３】実施形態２に係る画像読取時の排紙原稿満載通知の例を示すフローチャート
【図１４】実施形態２に係る画像読取装置の例を示す断面図
【図１５】実施形態２に係る画像読取後の排紙原稿満載通知の例を示すフローチャート
【図１６】排紙部照明の点灯パターンの例を示す図
【発明を実施するための形態】
【００１１】
〔実施形態１〕
以下、本発明の実施形態１における画像読取装置及び画像形成装置の構成例について、図面を参照して説明する。
【００１２】
図１は、本実施形態のＡＤＦを含む画像読取装置の一例を示す断面図である。本実施形態の画像読取装置１０００は、原稿の画像を読み取る画像読取部２００と、自動原稿給紙装置部（以下、ＡＤＦ）１００を備えており、さらに図１には図示しないコントローラ部が接続されている。
【００１３】
画像読取装置の下部には、公知の電子写真方式により画像形成を行う画像形成部１１００が配置される。画像形成装置１２００は、画像読取装置１０００と、画像形成部１１００を備える。画像形成部１１００は、感光体、露光装置、現像装置、転写装置、定着装置を備える。露光装置は、画像読取装置１０００で取得された画像情報に基づき感光体に静電潜像を形成する。現像装置は、静電潜像をトナーにより現像剤像に現像する。転写装置は、現像剤像を搬送されて来た記録媒体に転写する。定着装置は、記録媒体の上の現像剤像を記録媒体に定着させる。
【００１４】
＜画像読取部２００の構成例＞
図１を参照しながら説明する。
【００１５】
画像読取部２００は、原稿台ガラス２０９上に載置された原稿（シート）について、光学スキャナユニット２０２（画像読取手段）を図１の矢印ａに示す副走査方向に一定速度で走査することで、原稿に記録された画像情報を１ラインずつ読み取る（固定読み）。また、給紙トレイ３０に載置された原稿は、ＡＤＦ１００により搬送され、リードローラ６の中心位置にある光学スキャナユニット２０２により読み取られる（流し読み）。
【００１６】
＜自動原稿給紙部（ＡＤＦ）１００の構成例＞
ＡＤＦ１００の動作について、図１を参照しながら説明する。図１に示すＡＤＦ１００は、給紙トレイ３０（第一のシート積載手段）、分離パッド２１、分離ローラ２と、給紙ローラ１を有する。
【００１７】
給紙トレイ３０は、１枚以上の原稿で構成される原稿束Ｓを積載する。分離パッド２１と分離ローラ２は、給紙ローラ１により原稿を搬送する際に、複数の原稿が搬送されること（重送）を抑制する。
【００１８】
給紙トレイ３０は、原稿有無検知センサ１４（第一のシート検知手段）を備える。給紙トレイ原稿有無検知センサ１４は、給紙トレイ３０上の原稿の有無を判断するためのセンサである。なお、原稿有無検知センサ１４は、公知の光学式センサやフォトインタラプタを利用できる。例えば、光学式センサで直接原稿を検知してもよいし、原稿の搬送路上に突出するように揺動可能な検知フラグを配置し検知フラグの揺動によるフォトインタラプタの透過状態の変化を利用して原稿を検知してもよい。なお、本実施形態で使用される原稿有無検知センサ１４以外のセンサも同様に光学式センサ等を用いることができる。給紙トレイ３０は普通紙を最大１００枚積載することが可能である。給紙ローラ１は、給紙トレイ３０に積載された原稿束Ｓの最上部の原稿に落下して回転可能となっている。
【００１９】
流し読みの動作について説明をする。
【００２０】
給紙ローラ１の回転により、原稿束Ｓの最上部の原稿が給送される。給紙ローラ１によって給送された原稿は、分離ローラ２と分離パッド２１の作用によって１枚に分離される。この分離は公知の分離技術によって実現されている。
【００２１】
分離ローラ２と分離パッド２１によって１枚に分離された原稿は、引抜ローラ３によりレジストローラ４へ搬送され、レジストローラ４に原稿の先端が突き当てられる。これにより原稿はループ状のたわみが形成され、原稿の搬送における斜行が解消される。レジストローラ４の原稿の搬送方向下流には、レジストローラ４を通過した原稿を流し読みガラス２０１方向へ案内する給紙路が配置されている。
【００２２】
給紙路に送られた原稿は、読み取り上流ローラ５によって画像読取位置に搬送される。画像読取位置は、流し読みガラス２０１とリードローラ６の間の位置である。画像読取位置を通過する際、原稿照射用ＬＥＤ２０３ａ、２０３ｂは原稿の表面に対して光を照射する。原稿に照射された光の反射光は、複数のミラー２０４ａ、２０４ｂ、２０４ｃで反射され、画像読取センサ２０８に入射する。画像読取センサ２０８は、受光した光を光電変換することによって原稿の表面画像を画像データに変換して読取りを行う。原稿の表面画像のみを読み取る場合、読み取り下流ローラ７により搬送された原稿は、排紙ローラ１２によって排紙トレイ１３（第二のシート積載手段）まで搬送される。原稿が給紙トレイ３０上に複数枚有る場合には、最終原稿の読取及び排紙トレイ１３への排紙が終了するまで前述の処理を繰り返す。
【００２３】
原稿の裏面画像も読み取る場合、表面画像を読み取られた原稿は、原稿の後端が排紙センサ１１（排出検知手段）を通過した後、排紙ローラ１２を抜ける前に停止させられる。そして排紙ローラ１２を逆回転させることで、原稿はレジストローラ４へ向けて搬送される。そして、原稿は再度画像読取位置に搬送され、原稿の裏面を読み取られる。さらに、裏面画像の読み取りが完了した原稿は、原稿の後端が排紙センサ１１を通過した後、排紙ローラ１２を抜ける前に停止させられる。そして、排紙ローラ１２を逆回転させることで、原稿は再度レジストローラ４へ向けて搬送され、画像を読み取らずに排紙トレイ１３まで搬送され排紙トレイ１３に排紙される。原稿が給紙トレイ３０上に複数枚有る場合には、最終原稿の読取及び排紙トレイ１３への排紙が終了するまで前述の処理を繰り返す。排紙トレイ１３は、排紙トレイ原稿有無検知センサ１９を備える。排紙トレイ原稿有無検知センサ１９は、排紙トレイ１３上の原稿の有無を判断するためのセンサである。
【００２４】
すべての原稿の画像読み取り後、排紙トレイＬＥＤ４０は１０秒間、パターン１（点灯）もしくはパターン２（０．５秒間隔の点灯・消灯を繰り返す）で点灯することで、ユーザーに排紙トレイ１３上に原稿があることを通知する。パターン１（第一の通知）とパターン２（第二の通知）の切り替えは、ＣＰＵ８０１（推測手段）による排紙トレイ１３に積載されたシートの枚数の推測に基づいて切り替えられる。１０秒の時間はＣＰＵ８０１（時間計測手段）が計測を行う。１０秒間以内に排紙トレイ原稿有無検知センサ１９が原稿無しの状態となった場合、ユーザーが原稿を取り除いたものとして排紙トレイＬＥＤ４０は消灯される。排紙トレイ１３には普通紙を最大１００枚積載可能である。具体的な制御については後述する。
【００２５】
＜ブロック図の説明＞
図２は、本実施形態の画像読取装置の制御部の構成例を示すブロック図である。リーダーＡＤＦ制御部３１０は、中央演算処理装置であるリーダーＡＤＦ制御部３１０用のＣＰＵ８０１、リードオンリーメモリであるＲＯＭ８０２、ランダムアクセスメモリであるＲＡＭ８０３を備えている。ＲＯＭ８０２には、ＣＰＵ８０１の制御プログラムが格納されており、ＲＡＭ８０３には、ＣＰＵ８０１で使用する入力データや作業用データが格納される。
【００２６】
ＣＰＵ８０１は、原稿搬送機能を実現するために、分離モータ８２０、読取モータ８２１と接続される。分離モータ８２０は、給紙ローラ１、分離ローラ２、引抜ローラ３、レジストローラ４を回転駆動させる。読取モータ８２１は、読み取り上流ローラ５、リードローラ６、読み取り下流ローラ７、排紙ローラ１２を駆動させる。上記ローラの一部は、ソレノイド８１１、クラッチ８１２を介して、分離モータ８２０又は読取モータ８２１と接続されている。ＣＰＵ８０１は分離モータ８２０を正転させることで給紙ローラ１、分離ローラ２、引抜ローラ３、レジストローラ４を、原稿を搬送方向の下流へ送る方向へ回転させることができる。またＣＰＵ８０１は、分離モータ８２０を逆転させることで、給紙ローラ１を上方へ持ち上げることができる。ＣＰＵ８０１は、原稿有無検知センサ１４、分離後センサ１５、引き抜きセンサ１６、レジストセンサ１７、リードセンサ１８、排紙センサ１１が接続されている。分離後センサ１５、引き抜きセンサ１６、レジストセンサ１７、リードセンサ１８、排紙センサ１１は、図１の原稿の搬送路上にそれぞれ配置され、各センサのおかれた位置において原稿端部を検知する。
【００２７】
分離モータ８２０、読取モータ８２１はパルスモータである。ＣＰＵ８０１は各モータの駆動パルス数を管理し、上記搬送路上のセンサによる原稿検知の状況と関連させることで、搬送中の原稿の位置を監視し、各モータを制御している。上記制御により排紙トレイ１３に原稿が排出されると、排紙トレイ原稿有無検知センサ１９が原稿有りを検出する。そしてユーザーが排紙トレイ１３から原稿を取り除くと、排紙トレイ原稿有無検知センサ１９は原稿無しを検出する。また、給紙トレイ持ち上げセンサ２４は、給紙トレイ３０が持ち上げられているか否かを検知する。給紙トレイ３０は図１の矢印ｂの方向に持ち上げることが可能になっており、給紙トレイ持ち上げセンサ２４は、給紙トレイ３０が持ち上げられていないときＯＮを検知し、給紙トレイ３０が持ち上げられているときＯＦＦを検知する。
【００２８】
ＣＰＵ８０１には、画像読取機能を実現するために、原稿照射用ＬＥＤ２０３、画像読取センサ２０８に接続される。画像読取センサ２０８によって読み取られた画像データは、画像処理部８３３を介してコントローラへ直接送られる構成となっている。ＣＰＵ８０１は、読みとった画像データを、画像ライン３５３を介してコントローラ部３００へ送信する。さらに、原稿画像データの先端の基準となる垂直同期信号および１ラインの画素先端の基準となる水平同期信号については、ＣＰＵ８０１でタイミングを取って、コントローラＩＦ部３５４を通してコントローラ部３００へ通知される。
【００２９】
コントローラ部３００は、ＣＰＵ９０１、ＲＯＭ９０２、ＲＡＭ９０３を備える。ＣＰＵ９０１は、ＣＰＵ８０１とのコントローラＩＦ部３５４を介して画像読取制御に関するデータの授受を行う。画像データは画像処理部８３３と画像処理部９０５の間の画像ライン３５３を介して行い、画像読取部２００から受信したデータは画像メモリ９０６に格納される。また、コントローラ部３００は、操作部９０４と接続されている。ユーザーとのインターフェース制御は操作部９０４を介し、ＣＰＵ９０１によって行われる。
【００３０】
＜画像読取終了時の排紙原稿取り出し通知＞
画像読取ジョブが終了した際の、排紙トレイ１３上の原稿満載状態の検出フローについて図３のフローチャート及び図４の断面図、図６の操作部９０４の表示、図１６の排紙トレイＬＥＤ４０の点灯パターン図を参照しながら説明する。図３のフローチャートはユーザーが原稿をＡＤＦ１００の給紙トレイ３０上に積載した後、操作部９０４を操作して前述した流し読みを実施したときのフローチャートである。図４は排紙トレイ１３に１００枚の原稿が排出され、満載になった状態を示す断面図である。図６はユーザーに排紙原稿取り出しを促す操作部９０４の表示の例である。図１６（ａ）（ｂ）（ｃ）は排紙トレイ１３の排紙原稿枚数に応じて変更する排紙トレイＬＥＤ４０点灯パターン例を示す図である。
【００３１】
ユーザーが操作部９０４を操作して画像読取動作を開始させた場合、ＣＰＵ９０１はこれを検知し、ＣＰＵ８０１に対して画像読取ジョブ開始を通知する。図３のフローチャートは、ＣＰＵ８０１が画像読取ジョブ開始通知を受け取った後、ＣＰＵ８０１により実行される。ＣＰＵ８０１は画像読取ジョブ開始通知を受け取るとまず、排紙トレイ原稿有無検知センサ１９の検出値を参照し、排紙トレイ１３上に原稿があるかどうかを判断する（Ｓ１０１）。
【００３２】
排紙トレイ原稿有無検知センサ１９が原稿無しを検知していた場合（Ｓ１０１  ＮＯ）、ＣＰＵ８０１はＲＡＭ８０３（記憶手段）に設けた排紙枚数カウンタの値及び排紙満載フラグを０にする（Ｓ１０２）。排紙トレイ原稿有無検知センサ１９が原稿有りを検知していた場合（Ｓ１０１  ＹＥＳ）、もしくはＳ１０２において排紙枚数カウンタの値を０にした後、ＣＰＵ８０１は前述の方法で給紙トレイ３０上の最上面の原稿から１枚ずつ給紙搬送を行う（Ｓ１０３）。その後画像読取位置まで到達した原稿の画像読取を行い（Ｓ１０４）、読取が完了した原稿を排紙トレイ１３へ排紙する（Ｓ１０５）。ＣＰＵ８０１は原稿を１枚排出した後、排紙枚数カウンタの値に１を加算し（Ｓ１０６）、原稿有無検知センサ１４の検知に基づいて給紙トレイ３０上の最終原稿まで読取が完了したかを確認する（Ｓ１０７）。給紙トレイ３０上に原稿が有る場合、ＣＰＵ８０１は最終原稿まで読取が完了していないと判断し（Ｓ１０７  ＹＥＳ）、再度Ｓ１０１からＳ１０６までの制御を行う。ここでＳ１０１の排紙トレイ１３の原稿有無を確認するのは、原稿搬送中及び読取中にユーザーが排紙トレイ１３から原稿を取り除く操作をした場合に、それを排紙枚数カウンタの値に反映させるためである。
【００３３】
Ｓ１０７において給紙トレイ３０上に原稿が無く、最終原稿まで読取を完了したと判断した場合（Ｓ１０７  ＮＯ）、ＣＰＵ８０１は排紙枚数カウンタの値と、あらかじめ設定された値である排紙満載閾値との比較を行う（Ｓ１０８）。排紙満載閾値は、ＣＰＵ８０１が所定の枚数以上か否かを判断するための基準である。本実施形態における排紙満載閾値は排紙トレイ１３の普通紙最大積載可能枚数である１００である。なお、この閾値は画像の読取が行われる原稿の紙種に応じてユーザーが変更可能にしてもよい。例えば操作部９０４に「通常利用する原稿用紙」という項目を用意し、「普通紙」を入力した場合は排紙満載閾値を１００に、「厚紙」を入力した場合は排紙満載閾値を７０に設定するという方法が考えられる。またユーザーの使い方に応じてユーザー自身やサービスマンが個別に設定するものであってもよい。
【００３４】
Ｓ１０８において
排紙枚数カウンタ≧排紙満載閾値
の関係となっている場合（Ｓ１０８  ＹＥＳ）、すなわちＣＰＵ８０１が排紙枚数カウンタの値が排紙満載閾値である１００以上と判断した場合、ＣＰＵ８０１はＲＡＭ８０３内に設けた排紙満載フラグを１にする（Ｓ１０９）。そして排紙トレイＬＥＤ４０を図１６（ａ）に示すような点灯パターン１（常時点灯）で点灯させる（Ｓ１１０）。これによりユーザーに対して、図４のように排紙トレイ１３に原稿が満載となっていることを通知する。Ｓ１０８においてＣＰＵ８０１が排紙枚数カウンタの値が排紙満載閾値よりも小さいと判断した場合（Ｓ１０８  ＮＯ）、ＣＰＵ８０１はＲＡＭ８０３内に設けた排紙満載フラグを０にする（Ｓ１１１）。そして排紙トレイＬＥＤ４０を図１６（ｂ）に示すような点灯パターン２（０．５秒間隔で点灯・消灯）で点灯させる（Ｓ１１２）。これによりユーザーに排紙トレイ１３に原稿があることを通知する。なお、本実施例においては排紙トレイ１３上に排紙原稿が満載された状態であるか否かで制御を分けているが、他の分け方で通知を行ってもよい。例えば閾値を１００以上、８０以上、それ以外の三つに分けてもよい。この場合それぞれ満載、満載が近い、しばらく満載にならないと、ＣＰＵ８０１は判断する。満載の場合は、ＣＰＵ８０１は排紙トレイＬＥＤ４０を図１６（ａ）に示すような点灯パターン１（常時点灯）で点灯する制御を行う。満載が近い場合は、ＣＰＵ８０１は、図１６（ｃ）に示すような点灯パターン３（１秒間隔で点灯・消灯）で点灯する制御を行う。しばらく満載にならない場合は、ＣＰＵ８０１は、図１６（ｂ）に示すような点灯パターン２（０．５秒間隔で点灯・消灯）で点灯する制御を行う。
【００３５】
Ｓ１１０もしくはＳ１１２において排紙トレイＬＥＤ４０を点灯させた後、ＣＰＵ８０１は排紙トレイ１３上の原稿が取り除かれたか否かを判断する。具体的には、ＣＰＵ８０１は、排紙トレイ原稿有無検知センサ１９（取り除き検出手段）の検知結果を参照し排紙トレイ１３上の原稿有無を判定する（Ｓ１１３）。排紙トレイ原稿有無検知センサ１９が原稿無しを検知している場合（Ｓ１１３  ＮＯ）、排紙トレイ１３上の原稿が取り除かれたと判断し、排紙枚数カウンタ及び排紙満載フラグを０にし（Ｓ１１５）、排紙トレイＬＥＤ４０を消灯し（Ｓ１１６）、終了する。排紙トレイ原稿有無検知センサ１９が原稿有りを検知している場合（Ｓ１１３  ＹＥＳ）、ＣＰＵ８０１は、排紙トレイ１３上の原稿が取り除かれていないと判断し、続けて排紙トレイＬＥＤ４０を点灯してから所定時間経過したかどうかの判断を行う（Ｓ１１４）。Ｓ１１４において排紙トレイＬＥＤ４０を点灯してから、一例として１０秒以上経過した場合、所定時間が経過したと判断し（Ｓ１１４  ＹＥＳ）、排紙トレイＬＥＤ４０を消灯し（Ｓ１１６）、終了する。Ｓ１１４において排紙トレイＬＥＤ４０を点灯してから１０秒経過していない場合、所定時間が経過していないと判断し（Ｓ１１４  ＮＯ）、再度排紙トレイ１３上の原稿有無を判定する（Ｓ１１３）。これにより図４のように排紙トレイ１３に原稿が満載した状態とそうでない状態で排紙トレイＬＥＤ４０の点灯方法を変えることができ、ユーザーに満載を気付かせるきっかけをつくることができる。
【００３６】
なお、本実施形態においては排紙トレイＬＥＤ４０を点灯開始後１０秒で消灯することとしているが、タイムアウトの時間はこれに限定されない。例えば排紙トレイ１３に原稿が満載した状態の場合はタイムアウトなし、満載ではない状態の場合は５秒でタイムアウトするようにしてもよい。また原稿が満載した状態の場合は操作部９０４に原稿を取り除く旨の表示を出してもよい。この排紙原稿取り出しを促す操作部９０４表示の例は、図６である。これにより図４のように排紙トレイ１３に原稿が満載した状態となっている場合は、操作部９０４や排紙トレイＬＥＤ４０による通知を実施し続けることができる。
【００３７】
加えて、ユーザーがすべての原稿を持ち出さずに自分の原稿のみ取り除いた場合を考慮して制御してもよい。具体的には給紙トレイ持ち上げセンサ２４を監視して、給紙トレイ３０が持ち上げられたにもかかわらず排紙トレイ１３に原稿が有る場合、ユーザーが自分の原稿のみを持ち去ったと判断する。そして、ＣＰＵ８０１は、直前の画像読取ジョブ実行時の排紙枚数のみを排紙枚数カウンタから減算し、排紙満載フラグを０にクリアする。
【００３８】
以上に述べたフローにより、ジョブ終了後、図４のように排紙トレイ１３に原稿が満載した状態となっている場合は、排紙満載フラグを１にすることができる。
【００３９】
＜給紙トレイに原稿を積載した時の排紙原稿取り出し通知＞
ユーザーが原稿を給紙トレイ３０上に積載した時の、排紙トレイ１３上の原稿満載状態の検出フローについて図４の断面図及び図５のフローチャート、図６の操作部９０４表示、図１６の排紙トレイＬＥＤ４０の点灯パターン図を参照しながら説明する。図４は排紙トレイ１３に１００枚の原稿が排出され、満載になった状態を示す断面図である。図５のフローチャートはユーザーが原稿を給紙トレイ３０上に積載したときのフローチャートである。図６はユーザーに排紙原稿取り出しを促す操作部９０４表示の例である。図１６（ａ）（ｂ）（ｃ）は排紙トレイ１３の排紙原稿枚数に応じて変更する排紙トレイＬＥＤ４０点灯パターン例を示す図である。
【００４０】
ＣＰＵ８０１は、原稿有無検知センサ１４を監視して給紙トレイ３０上に原稿が有るか否かを判断する（Ｓ２０１）。なお、Ｓ２０１において、排紙トレイ原稿有無検知センサ１９が原稿無しを検知した場合は、排紙枚数カウンタ及び排紙満載フラグを０にする。ＣＰＵ８０１は、給紙トレイ３０に原稿が無い場合（Ｓ２０１  ＮＯ）は監視を続け、原稿が有る場合（Ｓ２０１  ＹＥＳ）は、ＲＡＭ８０３内に設けた排紙満載フラグの値が１であるか否かの判定を行う（Ｓ２０２）。排紙満載フラグが０である場合（Ｓ２０２  ＮＯ）、ＣＰＵ８０１は、排紙トレイ１３上に原稿が満載された状態ではないと判断して、ユーザーに対する通知等は実施せず終了する。なお、ここで排紙トレイ１３上に原稿が満載された状態ではないが、排紙トレイ１３に原稿が所定枚数有ると判断した場合に、排紙トレイＬＥＤ４０を図１６（ｂ）のような点灯パターン２（０．５秒間隔で点灯・消灯）で点灯させ、ユーザーに対して満載ではないが排紙原稿がある旨を通知してもよい。
【００４１】
Ｓ２０２において排紙満載フラグが１であった場合（Ｓ２０２  ＹＥＳ）、ＣＰＵ８０１は、図４のように排紙トレイ１３上に原稿が満載された状態であると判断する。ＣＰＵ８０１は排紙トレイ１３上の排紙原稿が満載となっているため、ＣＰＵ９０１に対し排紙原稿取り出し画面表示の通知を行い（Ｓ２０３）、通知を受け取ったＣＰＵ９０１は操作部９０４に図６のような排紙原稿取り出しを促す画面を表示する。続いてＣＰＵ８０１は、排紙トレイＬＥＤ４０を図１６（ａ）のような点灯パターン１（常時点灯）で点灯させる（Ｓ２０４）。上述したＳ２０３及びＳ２０４により、ユーザーに対し、操作部９０４及び排紙トレイＬＥＤ４０を用いて、排紙トレイ１３上の満載になっている排紙原稿の取り出す通知を行うことができる。なお、ここではユーザーへの通知手段として操作部９０４（表示手段）による通知と、排紙トレイＬＥＤ４０（発光手段）による通知を記載しているが、それ以外の方法を用いて通知してもよい。例えば音を出力するスピーカー５０（音出力手段）を設け音及び音声による通知や、給紙ローラ１などの負荷を一定時間動作させユーザーの注意を引くという通知方法でもよい。また通知方法ごとに、ユーザーやサービスマンが通知有無を切り替えられるように構成してもよい。また、排紙トレイＬＥＤ４０の発光パターンを変更する方法以外にも、排紙トレイＬＥＤ４０を異なる色に発光させることでユーザーの注意を引くようにしてもよい。
【００４２】
続いてＣＰＵ８０１は、排紙トレイ原稿有無検知センサ１９を監視して排紙トレイ１３上に原稿が有るか否かを判断する（Ｓ２０５）。ＣＰＵ８０１は、原稿が有る場合（Ｓ２０５  ＹＥＳ）は監視を続け、操作部９０４及び排紙トレイＬＥＤ４０等による通知を出し続ける。原稿が無い場合（Ｓ２０５  ＮＯ）、ＣＰＵ８０１は排紙トレイ１３上の排紙原稿が取り除かれたと判断し、排紙枚数カウンタ及び排紙満載フラグをのにする（Ｓ２０６）。その後、ＣＰＵ８０１は、ＣＰＵ９０１に対し排紙トレイ１３上の排紙原稿が取り出し表示の消去の通知を行う（Ｓ２０７）。通知を受け取ったＣＰＵ９０１は操作部９０４に表示されている図６のような排紙原稿取り出しを促す画面を消す。続けてＣＰＵ８０１は排紙トレイＬＥＤ４０を消灯する（Ｓ２０８）。これによりユーザーに対する操作部９０４及び排紙トレイＬＥＤ４０を使った通知を終了する。
【００４３】
以上に述べたフローにより、排紙満載フラグを用いて、ユーザーが原稿を積載した際に排紙原稿を取り出す通知を実施することができる。
【００４４】
本実施形態は、画像読取終了時の排紙原稿取り出し通知及び給紙トレイに原稿を積載した時の排紙原稿取り出し通知の双方を実施する例で説明をしたがこれに限られるものではなく、どちらか一方の排紙原稿取り出し通知を行うものであってもよい。
【００４５】
〔実施形態２〕
＜実施形態２の構成＞
以下、本発明の実施形態２における画像読取装置の構成例を図７、８を参照して説明する。なお、実施形態１と異なる構成について詳細に説明を行い、実施形態１と同様の構成については説明を省略する。実施形態２では、リフタモータ８２２の駆動量から、これから給紙される原稿の枚数を推測することが可能となっている。実施形態２では、給紙されるであろう原稿の枚数と、元々排紙トレイ１３に積載されていた原稿の枚数とに基づいて、これから排紙トレイ１３に積載されるであろうシートの枚数を推測することが可能となっている。
【００４６】
図７は、本ＡＤＦを含む画像読取装置の構成例を示す断面図である。また図８は本実施形態のＡＤＦを含む画像読取装置の制御部の構成例を示すブロック図である。
【００４７】
実施例１の構成と比較して、リフトアップ部材２６、給紙ローラセンサ２７、リフタ下限センサ２８、リフタモータ８２２が追加され、給紙トレイ３０（積載部）の原稿積載面が上昇（リフトアップ）及び下降（リフトダウン）が可能となるように構成されている。リフタモータ８２２はパルスモータであり、ＣＰＵ８０１はリフタモータ８２２の駆動パルス数を管理することで、給紙トレイ３０の原稿積載面の移動量を知ることができる。また、本実施形態における排紙トレイ１３の、普通紙の最大積載可能枚数は１１０枚である。本実施形態においては排紙トレイ１３に原稿が満載されているか否かを判断する閾値として２種類の閾値を持つ。具体的には画像読取ジョブ実行時以外に使用する排紙満載閾値１（１００枚）と、画像読取ジョブ実行時に使用する排紙満載閾値２（１１０枚）である。なお、本実施例においてはユーザーに比較的時間のゆとりがあると考えられる画像読取ジョブ実行時以外では閾値を下げているが、別の観点で閾値を変更してもよい。例えば画像読み取りジョブ実行時は可能な限り排紙部の紙詰まりリスクを減らすという観点で閾値を９０枚にしてもよい。
【００４８】
画像読取部２００、自動原稿給紙部（ＡＤＦ）１００の構成、ブロック図の構成、給紙トレイ３０部の構成は、上述したリフトアップ部材２６、給紙ローラセンサ２７、リフタ下限センサ２８、リフタモータ８２２を除き、実施例１と同じである。
【００４９】
＜リフトアップ・リフトダウン動作と給紙枚数予測＞
ＣＰＵ８０１は、リフタモータ８２２を逆転させることでリフトアップ部材２６を回転させ、給紙トレイ３０の原稿積載面を下降させることができる（リフトダウン）。この下降の際に、ＣＰＵ８０１はリフタ下限センサ２８を監視し、リフタ下限センサ２８がＯＮを検知するまで下降させることで、給紙トレイ３０上の原稿積載面を下限位置で止めることができる。この給紙トレイ３０を下限位置で停止した状態が図７である。
【００５０】
図９（ａ）（ｂ）（ｃ）（ｄ）は、本実施形態のＡＤＦを含む画像読取装置の給紙トレイ３０の原稿積載面の上昇過程を示す断面図である。ＣＰＵ８０１は、リフタモータ８２２を正転させることでリフトアップ部材２６を回転させ、給紙トレイ３０の原稿積載面を上昇させることができる（リフトアップ）。このリフトアップの前に、ＣＰＵ８０１は、分離モータ８２０を正転させ給紙ローラ１を下降させることで給紙ローラセンサ２７がＯＦＦを検知する状態にさせておく。この状態を示すのが図９（ａ）である。リフトアップ制御を実施すると、給紙トレイ３０の原稿積載面は図９（ａ）の黒矢印の方向へ上昇し、給紙トレイ３０に積載された原稿も一緒に上昇する。そして原稿上面の上昇に伴い、給紙ローラ１も合わせて上昇する。ＣＰＵ８０１は、給紙ローラセンサ２７を監視し、ＯＮを検知するまでリフタモータ８２２を正転させる。これにより図９（ｂ）のように給紙トレイ３０上の最上面の原稿が給紙可能な位置で止めることができる。
【００５１】
また、給紙トレイ３０上の原稿を順次搬送、画像読取していく過程で、給紙ローラ１を原稿最上面まで下降させる。原稿枚数が減ってくると、図９（ｃ）のように、給紙ローラ１下降時に給紙ローラセンサ２７がＯＦＦを検知するようになる。この場合、ＣＰＵ８０１は、再度リフタモータ８２２を正転させ給紙ローラセンサ２７がＯＮを検知する位置で停止させる。これにより図９（ｄ）のように給紙トレイ３０上の原稿を給紙可能な位置に移動ことができる。以上を繰り返すことにより、給紙トレイ３０上の最上面の原稿を、常に給紙可能な位置に保つことができる。
【００５２】
図１０は本実施形態のＡＤＦ１００を含む画像読取装置において、給紙トレイ３０に原稿が１００枚積載され、満載となっている状態を示す図である。リフトアップ動作の補足として、ＣＰＵ８０１はリフトアップ動作実施の際に、リフタ下限センサ２８がＯＮした状態で、給紙ローラ１を下降させても給紙ローラセンサ２７がＯＮを検知している場合がある。この場合ＣＰＵ８０１は、図１０のように原稿が給紙トレイ３０上に満載されていると判断する。そして、ＣＰＵ８０１は、原稿積載面を上昇させる必要が無いと判断し、リフタモータ８２２をバックラッシュ分に相当する１０パルスだけ回転させることで原稿積載面を上昇させないよう制御する。これにより、以降の原稿搬送制御時にリフトアップを実施する際にスムーズにリフトアップすることができる。なお、満載時はリフトアップ動作実施であってもリフタモータ８２２を動かさないよう制御してもよい。
【００５３】
また、ＣＰＵ８０１はリフトアップ時、リフタモータ８２２駆動開始から駆動停止までのパルス数から、給紙トレイ３０の原稿積載面の上昇量を計測できる。この上昇量は給紙トレイ３０に積載された原稿の量によって変わる。本実施例においては例えば図１０のように、給紙トレイ３０上に積載上限枚数である普通紙１００枚が積載されている場合、給紙ローラセンサ２７がＯＮしているため、バックラッシュ分の１０パルスしかリフタモータ８２２を駆動しない。しかし給紙トレイ３０上に１枚しか原稿が無い場合、給紙トレイ３０の原稿積載面を下限から上限まで移動させるため、リフタモータ８２２を１０００パルス程度駆動する必要がある。このような関係から図１１のように普通紙換算で何枚程度の原稿を給紙するかを予測することができる。
【００５４】
即ち、本実施形態では、ＣＰＵ８０１、給紙ローラ１、リフトアップ部材２６、給紙ローラセンサ２７、リフタ下限センサ２８、給紙トレイ３０が、給紙トレイ３０の上のシートを推測するシート積載推測手段を構成している。
【００５５】
なお、ここではリフタモータ８２２の駆動量から給紙原稿枚数を予測しているが、これ以外の方法を用いて予測を行ってもよい。例えばリフタモータ８２２がない構成であっても、給紙開始時に給紙ローラ１を下降させた際に、給紙ローラセンサ２７がＯＮであるならば原稿枚数は給紙トレイ３０が満載される１００枚程度であると予測できる。
【００５６】
本実施例においてＣＰＵ８０１は、原稿有無検知センサ１４が原稿無し検知状態から原稿有り検知状態になったときにリフトアップ制御を実施する。また原稿有無検知センサ１４が原稿有り検知状態から原稿無し検知状態になったときにリフトダウン制御を実施する。これにより、図９（ａ）のようなリフトダウン状態からジョブが開始された場合と比較して、画像読取開始までの時間を短縮できる。
【００５７】
なお、本実施形態ではＣＰＵ８０１は給紙トレイ３０上に原稿有りが検知された場合、すぐにリフトアップ動作を実施するがこれに限られるものではない。給紙トレイ３０上に原稿があることを検知したときに時間の計測を開始し、原稿有りのまま所定時間以上経過した場合にリフトアップ動作を実施するようにしてもよい。
【００５８】
本実施形態においては給紙トレイ３０上に原稿が積載された場合にリフトアップを行うこととしているが、別の条件を使ってジョブ開始前にリフトアップしてもよい。例えば、ユーザーが操作部９０４を操作し、ジョブ開始以外のキーである画像読取設定（例えば色モードや倍率の設定）を押下した場合に、ＣＰＵ９０１からＣＰＵ８０１へ通知を行い、ＣＰＵ８０１がリフトアップを実施することとしてもよい。
【００５９】
＜画像読取前の給紙予測枚数による排紙原稿取り出し通知＞
給紙予測枚数に基づいた排紙原稿取り出し通知フローについて図６の操作部９０４表示、図９の断面図、図１２のフローチャート、図１６の排紙トレイＬＥＤ４０の点灯パターン図を参照しながら説明する。図６はユーザーに排紙原稿取り出しを促す操作部９０４表示の例である。図９（ａ）（ｂ）（ｃ）（ｄ）は、本実施形態のＡＤＦを含む画像読取装置の給紙トレイ３０の原稿積載面の上昇過程を示す断面図である。図１２はユーザーが給紙トレイ３０上もしくは原稿台ガラス２０９上に原稿をセットし画像読取を開始するまでのフローである。図１６（ａ）（ｂ）（ｃ）は排紙トレイ１３の排紙原稿枚数に応じて変更する排紙トレイＬＥＤ４０点灯パターン例を示す図である。
【００６０】
ＣＰＵ８０１は電源投入時や画像読取終了後、前述したリフトダウンを実施する（Ｓ５０１）。その後原稿有無検知センサ１４の値を参照し、給紙トレイ３０上に原稿が有るかどうかを判断する（Ｓ５０２）。なお、Ｓ５０２において、排紙トレイ原稿有無検知センサ１９が原稿無しを検知した場合は、排紙枚数カウンタを０にする。給紙トレイ３０上に原稿が無い場合（Ｓ５０２  ＮＯ）、ＣＰＵ８０１は画像読取ジョブが開始されたか否かを確認する（Ｓ５０３）。ユーザーが操作部９０４を操作して画像読取動作を開始させた場合、ＣＰＵ９０１はこれを検知し、ＣＰＵ８０１に対して画像読取ジョブ開始を通知する。ＣＰＵ８０１は画像読取ジョブ開始通知を受け取るとジョブ開始と判断し（Ｓ５０３  ＹＥＳ）、給紙トレイ３０に原稿が無い状態であるため原稿台ガラス２０９上の原稿画像を読み取るべく固定読みを開始する（Ｓ５１７）。ＣＰＵ８０１は画像読取ジョブ開始通知を受け取っていない場合（Ｓ５０３  ＮＯ）、再度給紙トレイ３０上に原稿が有るかどうかを判断する（Ｓ５０２）。
【００６１】
ユーザーが給紙トレイ３０に原稿をセットした場合、原稿有無検知センサ１４が原稿有りを検知するため、ＣＰＵ８０１はＳ５０２において給紙トレイ３０上に原稿有りと判断する（Ｓ５０２  ＹＥＳ）。ＣＰＵ８０１は原稿有りと判断した後、給紙ローラセンサ２７がＯＦＦを検知するよう、分離モータ８２０を正転させ給紙ローラ１を下降させる（Ｓ５０４）。そして、リフトアップ動作を行いリフタモータ８２２の駆動パルス数のカウント（Ｓ５０５）と、及びリフタモータ８２２の駆動パルス数を用いた給紙予測枚数の算出（Ｓ５０６）を行う。
【００６２】
続いてＣＰＵ８０１は、給紙予測枚数とＲＡＭ８０３に用意された排紙枚数カウンタ、及び排紙満載閾値１の比較を行う（Ｓ５０７）。排紙枚数カウンタは原稿が一枚排出される毎にカウントアップし排紙トレイ１３上にある原稿の枚数をカウントするものである。カウントアップのフローについては後述する。また本実施例では排紙満載閾値１を、先に述べたように１００とする。なお、ここでは排紙満載閾値１は固定値とするが、サービスマンやユーザーが設定できるようにしてもよい。また工場調整において閾値を調整してもよい。さらに給紙予測枚数と実際に給紙した枚数を比較し、排紙満載閾値１を補正してもよい。具体的には給紙予測枚数が１００枚であるのにすべての原稿を給紙した際に５０枚しか原稿が無いことが分かった場合、紙の厚みが普通紙の二倍であると考えられるため、排紙満載閾値１を半分の５０とするという方法が考えられる。
【００６３】
即ち、本実施形態では、ＣＰＵ８０１、給紙ローラ１、リフトアップ部材２６、給紙ローラセンサ２７、リフタ下限センサ２８、給紙トレイ３０が、給紙トレイ３０の上のシートの厚さを推測するシート厚さ推測手段を構成している。
【００６４】
別の補正方法として、原稿給紙中のリフトアップが実施されるまでの枚数をカウントすることで原稿の厚みを推測し、カウントアップする値に反映する方法を用いてもよい。先に述べたように、原稿枚数が減ってくると、図９（ｃ）のように、給紙ローラ１下降時に給紙ローラセンサ２７がＯＦＦを検知するようになる。この場合、ＣＰＵ８０１は、再度リフタモータ８２２を正転させ給紙ローラセンサ２７がＯＮを検知する位置で停止させ、図９（ｄ）のように給紙トレイ３０上の原稿を給紙可能な位置に移動する。このため例えば、普通紙であれば１０枚給紙後リフトアップ動作が入るところ、２０枚でリフトアップ動作が入るようであれば原稿の厚みは普通紙の半分と推測される。この場合カウントアップする値を０．５に補正するという方法が考えられる。
【００６５】
Ｓ５０７の比較において、
（給紙予測枚数＋排紙枚数カウンタ）≧排紙満載閾値１
の関係となっていた場合（Ｓ５０７  ＹＥＳ）、すべての原稿画像を読み取る前に排紙トレイ１３に排紙原稿が満載された状態になると判断し、ユーザーに対する通知を実施する。ユーザーに対する通知とは図１６（ａ）に示すような排紙トレイＬＥＤのパターン１（常時点灯）での点灯（Ｓ５０８）、また操作部９０４での図６のような排紙原稿取り出しを促す画面表示である。この画面表示は、ＣＰＵ８０１がＣＰＵ９０１に対し排紙トレイ１３上の排紙原稿の満載予測判断に基づく排紙原稿取り出し画面表示通知を行い（Ｓ５０９）、通知を受け取ったＣＰＵ９０１は操作部９０４に図６のような排紙原稿取り出しを促す画面表示を出す。続いてＣＰＵ８０１は、排紙トレイ原稿有無検知センサ１９を監視して排紙トレイ１３上に原稿が有るか否かを判断する（Ｓ５１０）。ＣＰＵ８０１は、原稿が有る場合（Ｓ５１０  ＹＥＳ）は監視を続け、操作部９０４及び排紙トレイＬＥＤ４０による通知を出し続ける。原稿が無い場合（Ｓ５１０  ＮＯ）、ＣＰＵ８０１は排紙トレイ１３上の排紙原稿が取り除かれたと判断し、排紙枚数カウンタの０クリアを実施する（Ｓ５１１）。その後ＣＰＵ８０１はＣＰＵ９０１に対し排紙トレイ１３上の排紙原稿が取り出し表示消去の通知を行う（Ｓ５１２）。そして通知を受け取ったＣＰＵ９０１は操作部９０４に表示されている図６のような排紙原稿取り出しを促す画面を消す。続けてＣＰＵ８０１は排紙トレイＬＥＤ４０を消灯する（Ｓ５１３）。
【００６６】
Ｓ５０７の比較において、
（給紙予測枚数＋排紙枚数カウンタ）≧排紙満載閾値１
の関係となっていない場合（Ｓ５０７  ＮＯ）、すなわち
（給紙予測枚数＋排紙枚数カウンタ）＜排紙満載閾値１
の関係であった場合、給紙トレイ３０上の原稿の読取を実施しても排紙トレイ１３は満載にならないと判断し、ユーザーに対する通知は実施しない。
【００６７】
Ｓ５１２実施後、もしくはＳ５０７  ＮＯの場合、ＣＰＵ８０１は再度、原稿有無検知センサ１４の値を参照し給紙トレイ３０上の原稿有無の確認を行う（Ｓ５１４）。ここで原稿有無の確認を行うのは、ユーザーによって給紙トレイ３０上の原稿が取り除かれたか否かを判断するためである。Ｓ５１４においてＣＰＵ８０１が給紙トレイ３０上に原稿がないと判断した場合（Ｓ５１４  ＮＯ）、再度給紙トレイ３０上に原稿をセットする場合に備えて、リフトダウンを行う（Ｓ５０１）。Ｓ５１４において給紙トレイ３０上に原稿があると判断した場合（Ｓ５１４  ＹＥＳ）、ＣＰＵ８０１はジョブ開始判断を行う（Ｓ５１５）。
【００６８】
Ｓ５１５においてＣＰＵ８０１がジョブ開始なしと判断した場合（Ｓ５１５  ＮＯ）、ＣＰＵ８０１は給紙トレイ３０上の原稿の有無を監視しつづける（Ｓ５１４）。Ｓ５１５においてＣＰＵ８０１がジョブ開始ありと判断した場合（Ｓ５１５  ＹＥＳ）、給紙トレイ３０に原稿が有る状態であるため、流し読みを開始する（Ｓ５１６）。
【００６９】
以上に述べたフローにより、ユーザーが原稿を積載し画像読取を開始する前に、ユーザーに対し、給紙予測枚数を考慮した排紙原稿の取り出し通知を実施することができる。
【００７０】
＜画像読取時の排紙原稿取り出し通知＞
排紙トレイ１３上の原稿満載状態の検出フローについて図６の操作部９０４表示、図１３のフローチャート、図１４の断面図を参照しながら説明する。図６はユーザーに排紙原稿取り出しを促す操作部９０４表示の例である。図１３のフローチャートはユーザーが原稿を給紙トレイ３０上に積載した後、操作部９０４を操作して流し読みを実施したときのフローチャートである。図１４の断面図は、排紙トレイ１３上の原稿を取り除くために、ユーザーが給紙トレイ３０を持ち上げた状態の例を示す断面図である。
【００７１】
ユーザーが操作部９０４を操作して画像読取動作を開始させた場合、ＣＰＵ９０１はこれを検知し、ＣＰＵ８０１に対して画像読取ジョブ開始を通知する。ＣＰＵ８０１は画像読取ジョブ開始通知を受け取るとまず、排紙トレイ原稿有無検知センサ１９の検出値を参照し、排紙トレイ１３上に原稿があるかどうかを判断する（Ｓ６０１）。
【００７２】
Ｓ６０１において排紙トレイ原稿有無検知センサ１９が原稿無しを検知していた場合（Ｓ６０１  ＮＯ）、ＣＰＵ８０１はＲＡＭ８０３内に設けた排紙枚数カウンタの値を０にする（Ｓ６０２）。排紙トレイ原稿有無検知センサ１９が原稿有りを検知していた場合（Ｓ６０１  ＹＥＳ）、及びＳ６０２において排紙枚数カウンタの値を０にした後、ＣＰＵ８０１は前述の方法で給紙トレイ３０上の最上面の原稿から１枚ずつ給紙搬送を行う（Ｓ６０３）。その後画像読取位置まで到達した原稿の画像読取を行い（Ｓ６０４）、読取が完了した原稿を排紙トレイ１３へ排紙する（Ｓ６０５）。ＣＰＵ８０１は原稿を１枚排出した後、排紙枚数カウンタの値に１を加算しカウントアップする（Ｓ６０６）。なおこのカウントアップ値は、給紙中のリフトアップ動作の実行間隔によって厚みを推測し、動的に変更してもよい。
【００７３】
ここでＣＰＵ８０１は、排紙原稿の枚数が排紙トレイ１３の排紙満載閾値２を超えていないか判断する（Ｓ６０７）。排紙満載閾値２は先に述べたように１１０とする。
排紙カウンタ≧排紙満載閾値２
の関係となっている場合（Ｓ６０７  ＹＥＳ）、排紙トレイ１３に排紙原稿が満載された状態になっていると判断し、ユーザーに対し、排紙トレイ１３が満載である旨の通知及び画像読取の中断を実施する。通知に先立って、ＣＰＵ８０１はリフトダウンを行う（Ｓ６０８）。これはユーザーが排紙原稿を取り出す際に給紙トレイ３０を持ち上げやすくするためである。本実施例の構成では、図１４（ａ）に示すように、リフトダウン状態でユーザーが給紙トレイ３０を持ち上げた場合、水平位置からθ１の確度だけ持ち上げることができる。また、図１４（ｂ）に示すように、給紙ローラ１が原稿と当接するリフトアップ状態で、ユーザーが給紙トレイ３０を持ち上げようとすると、給紙トレイ３０を水平位置からθ２の角度だけ持ち上げた段階で、給紙ローラ１と原稿上面の干渉により、抵抗を感じる。上記θ１とθ２の関係はθ１＞θ２となる。このため、ユーザーはリフトアップ状態では給紙トレイ３０を持ち上げにくいと感じ、結果的に排紙トレイ１３からの原稿取りだしにくさを感じることとなる。
【００７４】
Ｓ６０８のリフトダウン後、ユーザーに対する通知として、図１６（ａ）に示すような排紙トレイＬＥＤのパターン１（常時点灯）での点灯（Ｓ６０９）、また操作部９０４での図６のような排紙原稿取り出しを促す画面表示を行う。この画面表示は、ＣＰＵ８０１がＣＰＵ９０１に対し排紙トレイ１３上の排紙原稿の満載予測判断に基づく排紙原稿取り出し画面表示通知を行い（Ｓ６１０）、通知を受け取ったＣＰＵ９０１が操作部９０４に、図６のような排紙原稿取り出しを促す表示を出すことで実現する。続いてＣＰＵ８０１は、排紙トレイ原稿有無検知センサ１９を監視して排紙トレイ１３上に原稿が有るか否かを判断する（Ｓ６１１）。ＣＰＵ８０１は、原稿が有る場合（Ｓ６１１  ＹＥＳ）は監視を続け、操作部９０４及び排紙トレイＬＥＤ４０による通知を出し続ける。Ｓ６１１においてユーザーが排紙原稿を取り除き、排紙トレイ原稿有無検知センサ１９が原稿無しを検知した場合、ＣＰＵ８０１は排紙トレイ１３上の排紙原稿なしと判断し（Ｓ６１１  ＮＯ）、排紙枚数カウンタを０にする（Ｓ６１２）。その後ＣＰＵ８０１はＣＰＵ９０１に対し排紙トレイ１３上の排紙原稿が取り出し表示消去の通知を行う（Ｓ６１３）。通知を受け取ったＣＰＵ９０１は操作部９０４に表示されている図６のような排紙原稿取り出しを促す画面を消す。続けてＣＰＵ８０１は排紙トレイＬＥＤ４０を消灯する（Ｓ６１４）。その後、給紙ローラセンサ２７がＯＦＦを検知するよう、分離モータ８２０を正転させ給紙ローラ１を下降させ（Ｓ６１５）、リフトアップ動作を実施する（Ｓ６１６）。なお本実施例では、搬送中の原稿は機内に１枚となるように給紙することを前提としており、排紙トレイ１３に排紙原稿が満載された状態の場合は次の原稿を給紙しないことで画像読取ジョブを中断している。しかし搬送中の原稿は機内に２枚以上となるように給紙する場合を考慮して設計してもよい。例えば給紙時に排紙される予定の原稿枚数をカウントし、まだ原稿が排紙されていない状態であっても給紙した原稿が排出された場合は排紙トレイ１３が満載になると判断した場合は、その次の原稿を給紙せず画像読取ジョブを中断するように制御してもよい。
【００７５】
Ｓ６０７の比較において
排紙カウンタ≧排紙満載閾値２
の関係となっていない場合（Ｓ６０７  ＮＯ）、すなわち
排紙カウンタ＜排紙満載閾値２
となっている場合、排紙トレイ１３に排紙原稿が満載された状態になっていないと判断し、ユーザーに対する通知及び画像読取の中断は実施しない。
【００７６】
Ｓ６０７  ＮＯの場合及びＳ６１６の後、給紙トレイ３０上の最終原稿まで読取が完了したかを確認する（Ｓ６１７）。原稿有無検知センサ１４が原稿有りを検知しており、給紙トレイ３０上に原稿が有ると判断される場合、ＣＰＵ８０１は最終原稿まで読取が完了していないと判断し再度Ｓ６０１、Ｓ６０３等の制御を行う排紙トレイ。ここで排紙トレイ１３の原稿有無を確認するのは、原稿搬送、読取中にユーザーが排紙トレイ１３から原稿を取り除く操作をした場合に、排紙枚数カウンタの値に反映させるためである。
【００７７】
Ｓ６１７において給紙トレイ３０上に原稿が無く、最終原稿まで読取を完了したと判断した場合（Ｓ６１７  ＮＯ）、ＣＰＵ８０１はリフトダウンし（Ｓ６１８）、画像読取を終える。
【００７８】
以上に述べたフローにより、ユーザーが原稿画像読取を実施している間に、原稿画像読取中の原稿継ぎ足しなどにより排紙トレイ１３が満載になった際に、排紙原稿の取り出し通知を実施することができる。
【００７９】
＜画像読取終了時の排紙原稿取り出し通知＞
排紙トレイ１３上の原稿満載状態の検出フローについて、図６の操作部９０４の表示、図１５のフローチャート、図１６の排紙トレイＬＥＤ４０の点灯パターン図を参照しながら説明する。図６はユーザーに排紙原稿取り出しを促す操作部９０４の表示の例である。図１５のフローチャートは流し読みを実施しすべての原稿の画像読取を終えたときのフローチャートである。図１６（ａ）（ｂ）（ｃ）は排紙トレイ１３の排紙原稿枚数に応じて変更する排紙トレイＬＥＤ４０点灯パターン例を示す図である。ＣＰＵ８０１は、排紙枚数カウンタの値とあらかじめ設定された値である排紙満載閾値１の比較を行う（Ｓ７０１）。なお、Ｓ７０１において、排紙トレイ原稿有無検知センサ１９が原稿無しを検知した場合は、排紙枚数カウンタを０にする。
【００８０】
本実施例における排紙満載閾値１は先に述べたように１００である。
【００８１】
Ｓ７０１において
排紙枚数カウンタ≧排紙満載閾値１
の関係となっている場合（Ｓ７０１  ＹＥＳ）、すなわちＣＰＵ８０１が排紙枚数カウンタの値が排紙満載閾値以上と判断した場合、ユーザーに対する通知及び画像読取の中断を実施する。ユーザーに対する通知とは図１６（ａ）に示すような排紙トレイＬＥＤのパターン１（常時点灯）での点灯（Ｓ７０２）、また操作部９０４での図６のような排紙原稿取り出しを促す画面表示である。この画面表示は、排紙トレイ１３上の排紙原稿の満載予測判断に基づく排紙原稿取り出し画面表示通知を行い（Ｓ７０３）、通知を受け取ったＣＰＵ９０１が操作部９０４に表示を出すことで実現する。続いてＣＰＵ８０１は、排紙トレイ原稿有無検知センサ１９を監視して排紙トレイ１３上に原稿が有るか否かを判断する（Ｓ７０４）。ＣＰＵ８０１は、原稿が有る場合（Ｓ７０４  ＹＥＳ）は監視を続け、操作部９０４及び排紙トレイＬＥＤ４０による通知を出し続ける。Ｓ７０４においてユーザーが排紙原稿を取り除き、排紙トレイ原稿有無検知センサ１９が原稿無しを検知している場合、ＣＰＵ８０１は排紙トレイ１３上の排紙原稿無しと判断する（Ｓ７０４  ＮＯ）。ＣＰＵ８０１はＣＰＵ９０１に対し排紙トレイ１３上の排紙原稿が取り出し表示消去の通知を行う（Ｓ７０５）。そして通知を受け取ったＣＰＵ９０１は操作部９０４に表示されている図６のような排紙原稿取り出しを促す画面を消す。その後、排紙枚数カウンタの０クリア（Ｓ７０６）を行い、排紙トレイＬＥＤ４０を消灯し（Ｓ７０７）、処理を終了する。
【００８２】
Ｓ７０１においてＣＰＵ８０１が排紙枚数カウンタの値が排紙満載閾値よりも小さいと判断した場合（Ｓ７０１  ＮＯ）、排紙トレイＬＥＤ４０を図１６（ｂ）のような点灯パターン２（０．５秒間隔で点灯・消灯）で点灯させる（Ｓ７０８）。これによりユーザーに排紙トレイ１３に原稿があることを通知する。
【００８３】
Ｓ１１０もしくはＳ１１２で排紙トレイＬＥＤ４０を点灯させた後、ＣＰＵ８０１は排紙トレイ１３上の原稿が取り除かれたか否かを判断するため、排紙トレイ原稿有無検知センサ１９の検知結果を参照し排紙トレイ１３上の原稿有無を判定する（Ｓ７０９）。排紙トレイ原稿有無検知センサ１９が原稿無しを検知している場合（Ｓ７０９  ＮＯ）、排紙トレイ１３上の原稿が取り除かれたと判断し、排紙枚数カウンタの０クリア（Ｓ７０６）、及び排紙トレイＬＥＤ４０の消灯（Ｓ７０７）を行い、処理を終了する。
【００８４】
Ｓ７０９において排紙トレイ原稿有無検知センサ１９が原稿有りを検知している場合（Ｓ７０９  ＹＥＳ）、ＣＰＵ８０１は、排紙トレイ１３上の原稿が取り除かれていないと判断し、続けて排紙トレイＬＥＤ４０を点灯してから所定時間が経過したかどうかの判断を行う（Ｓ７１０）。Ｓ７１０において排紙トレイＬＥＤ４０を点灯してから１０秒以上経過した場合、所定時間が経過したと判断し（Ｓ７１０  ＹＥＳ）、排紙トレイＬＥＤ４０を消灯し（Ｓ７０７）、処理を終了する。Ｓ７１０において排紙トレイＬＥＤ４０を点灯してから１０秒経過していない場合、所定時間が経過していないと判断し（Ｓ７１０  ＮＯ）、再度排紙トレイ１３上の原稿有無を判定する（Ｓ７０９）。これにより排紙トレイ１３に原稿が満載した状態とそうでない状態で排紙トレイＬＥＤ４０の点灯方法を変えることができ、ユーザーに満載を気付かせるきっかけをつくることができる。なお、本実施例においては排紙トレイＬＥＤ４０を点灯開始後１０秒で消灯することとしているが、タイムアウトの時間はこれに限定されない。
【００８５】
以上に述べたフローにより、原稿画像読取を実施完了後、排紙トレイ１３が満載になった際に、ユーザーに対する排紙原稿の取り出し通知を実施することができる。
【００８６】
本実施形態では、画像読取前の給紙予測枚数による排紙原稿取り出し通知、画像読取時の排紙原稿取り出し通知、画像読取終了時の排紙原稿取り出し通知のすべてを実施する例で説明をしたがこれに限られるものではない。どちらか一方の排紙原稿取り出し通知を行うものであってもよい。
【００８７】
上記の実施形態１及び２で説明した様に、ＣＰＵ８０１（推測手段・制御手段）は、排紙トレイ１３に積載されたシートの枚数（又はこれから排紙トレイ１３に積載されるシートの枚数）を推測し、推測した枚数に基づいてユーザーへの通知手段の通知を変更する。
【００８８】
通知手段としては、排紙トレイＬＥＤ４０や、操作部９０、スピーカー５０が考えられる。例えば、推測した枚数が所定の枚数（閾値）以上の場合は、排紙トレイＬＥＤ４０を点灯バターン１で点灯させ、推測した枚数が所定の枚数よりも少ない場合は、排紙トレイＬＥＤ４０を点灯パターン２で点灯させる。なお、この通知は、通知を開始してからＣＰＵ８０１（時間計測手段）が所定の時間を経過したと判断したタイミングで終了する。他の方法として、通知は、排紙トレイ原稿有無検知センサ１９（取り除き検出手段）が排紙トレイ１３の原稿無しを検出したタイミングで終了する。
【００８９】
通知をするタイミングは、
・給紙トレイ３０にシートが積載され当該シートを光学スキャナユニット２０２に搬送する前、
・給紙トレイ３０に複数の原稿が積載され当該原稿がスキャナユニット２０２に搬送されている間、
・給紙トレイ３０に積載されたシートのすべてが光学スキャナユニット２０２による読取りを終えた後
などが考えられる。
【００９０】
ＣＰＵ８０１は、排紙センサ１１（排出検知手段）による原稿の排出枚数や、給紙トレイ３０の上の原稿の枚数を推測するシート積載推定手段や、給紙トレイ３０の上の原稿の厚さを推測するシート厚さ推測手段に基づいて、排紙トレイ１３の原稿枚数を推測する。
【００９１】
なお、画像形成装置の例として電子写真方式の画像形成装置で説明を行ったが、インクを突出して記録媒体に画像を形成するインクジェット方式の画像形成装置でも適用可能である。
【符号の説明】
【００９２】
１０００  画像読取装置
１００  ＡＤＦ
２００  画像読取部
３００  コントローラ
３１０  リーダーＡＤＦ制御部
Ｓ  原稿束
１１  排紙センサ
１３  排紙トレイ
１４  原稿有無検知センサ
１９  排紙トレイ原稿有無検知センサ
３０    給紙トレイ
４０  排紙トレイＬＥＤ
２０１  表面流し読みガラス
２０２  光学スキャナユニット
８０１、９０１  ＣＰＵ
【図１】
2017024847.tif 000003
【図２】
2017024847.tif 000004
【図３】
2017024847.tif 000005
【図４】
2017024847.tif 000006
【図５】
2017024847.tif 000007
【図６】
2017024847.tif 000008
【図７】
2017024847.tif 000009
【図８】
2017024847.tif 000010
【図９】
2017024847.tif 000011
【図１０】
2017024847.tif 000012
【図１１】
2017024847.tif 000013
【図１２】
2017024847.tif 000014
【図１３】
2017024847.tif 000015
【図１４】
2017024847.tif 000016
【図１５】
2017024847.tif 000017
【図１６】
2017024847.tif 000018